(57)【要約】【課題】  便器に設置されるハウジングに取り付けられる前の状態で性能保証のための検査ができ且つ省スペース化された便器用温風装置を提供することである。【解決手段】  本発明の便器用温風装置は、便器に設置されるハウジング１２内に取り付けられることで人体局部へ温風を噴出する便器用温風装置であって、ヒーター２１と、ヒーター２１の熱を温風として一定方向に流れるように風を発生するファン２２と、ヒーター２１及びファン２２を覆うダクト３と、を有し、ダクト３は、ダクト３の一部がハウジング１２で構成されるハウジング共用部３２と、それ以外の非ハウジング共用部と、を有し、非ハウジング共用部に、ファン２１、ヒーター２２、及び温度測定部２３が配置されており、温度測定部２３は、温風の発生源近傍であることを特徴とする。【選択図】図１
2014009486.tif 000002
【特許請求の範囲】
【請求項１】
便器に設置されるハウジング内に取り付けられることで人体局部へ温風を噴出する便器用温風装置であって、
ヒーターと、
前記ヒーターの熱を前記温風として一定方向に流れるように風を発生するファンと、
前記ヒーター及び前記ファンを覆うダクトと、
を有し、
前記ダクトは、前記ダクトの一部が前記ハウジングで構成されるハウジング共用部と、それ以外の非ハウジング共用部と、を有し、前記非ハウジング共用部に、前記ファン、前記ヒーター、及び温度測定部が配置されており、
前記温度測定部は、前記温風の発生源近傍であることを特徴とする便器用温風装置。
【請求項２】
前記温度測定部で前記温風の温度を測定する温度センサを有する請求項１に記載の便器用温風装置。
【請求項３】
前記ダクトの前記非ハウジング共用部は、
前記ヒーター、前記ファン、及び前記温度センサが取り付けられるアッパケースと、
前記アッパケースと結合するロワケースと、
を有する請求項２に記載の便器用温風装置。
【請求項４】
前記温度センサは、前記非ハウジング共用部が前記ハウジング内に取り付けられる前に、前記アッパケース及び前記ロワケースによって保持される請求項３に記載の便器用温風装置。
【発明の詳細な説明】
【技術分野】
【０００１】
本発明は、人体局部が洗浄できる洗浄便座装置と共に好適に用いることができる便器用温風装置に関する。
【背景技術】
【０００２】
便器に取り付ける人体局部を洗浄できる洗浄便座装置には、人体局部に温風を噴出することができるタイプがある。温風は、風を発生させるファンとファンの前後の少なくとも一方に配置されるヒーターとで生成できる。生成された温風は、人体局部に向かって噴出されることで、洗浄した人体局部の乾燥を促したり、人体局部を暖めたりすることに用いられる。そのため、温風は単に噴出されればいいわけではなく所定の場所に噴出されるように方向付けされる。そこで、ファンとヒーターとを覆い、温風が所定の場所に向かって噴出されるようにする構成が特許文献１及び特許文献２に開示されている。
【０００３】
特許文献１に開示されている温風を噴出する構成（便器用温風装置）は、ファンとヒーターとを覆うケースのうち、下側が便器に設置されるハウジングで構成され、上側がハウジングに取り付けられるケースで構成されている。特許文献２に開示されている便器用温風装置は、ファンとヒーターを覆うケースのうち、下側の一部が便器に設置されるハウジングで構成され、上側がハウジングに取り付けられるケースで構成されている。
【０００４】
特許文献１及び特許文献２の便器用温風装置は、何れも下側のケースの全体か一部をハウジングと共用している。これは、便器用温風装置を小型化することで省スペース化や低コストを狙っている。
【先行技術文献】
【特許文献】
【０００５】
【特許文献１】特開平７−１３９０１５号公報
【特許文献２】特開平６−５７８０６号公報
【発明の概要】
【発明が解決しようとする課題】
【０００６】
しかし、特許文献１も特許文献２もケースをハウジングと共用するため、便器用温風装置をハウジングに取り付けた状態でなければ、温風を一定方向に噴出できない。そのため、便器用温風装置の性能保証は、ハウジングに取り付けた状態で行うことになり、便器用温風装置だけでの性能保証ができない。便器用温風装置の性能保証は、温風の温度を測定（検査）することで行われる。ハウジングにはその他に洗浄のための水（温水）を噴出する装置をはじめ、様々の機能の部品や装置が取り付けられるため、便座用温風装置のみについて性能保証できない場合であってもその便座用温風装置が組み込まれた洗浄便座装置全体について不良として扱わざるを得なくなって生産性の大きな妨げになる。
【０００７】
本発明は、上記状況に鑑みてなされたもので、便器に設置されるハウジングに取り付けられる前の状態で性能保証のための検査ができ且つ省スペース化された便器用温風装置を提供することを解決すべき課題とする。
【課題を解決するための手段】
【０００８】
上記課題を解決するための請求項１に係る発明の構成上の特徴は、便器に設置されるハウジング内に取り付けられることで人体局部へ温風を噴出する便器用温風装置であって、
ヒーターと、
前記ヒーターの熱を前記温風として一定方向に流れるように風を発生するファンと、
前記ファン及び前記ヒーターを覆うダクトと、
を有し、
前記ダクトは、前記ダクトの一部が前記ハウジングで構成されるハウジング共用部と、それ以外の非ハウジング共用部と、を有し、前記非ハウジング共用部に、前記ファン、前記ヒーター、及び温度測定部が配置されており、
前記温度測定部は、前記温風の発生源近傍であることである。
【０００９】
なお、「温風の発生源」とは、風及びヒーターのそれぞれが個別に発生する場所を単純に示す概念ではなく、ヒーターの熱がファンで方向付けされて温風となった場所である。また、温風の発生源の「近傍」とはハウジングから外されていても、ハウジングに取り付けられているのと同じ条件で温風が流れる部位である。
【００１０】
また請求項２に係る発明の構成上の特徴は、請求項１において、前記温度測定部で前記温風の温度を測定する温度センサを有することである。
【００１１】
また請求項３に係る発明の構成上の特徴は、請求項２において、前記ダクトの前記非ハウジング共用部が、
前記ヒーター、前記ファン、及び前記温度センサが取り付けられるアッパケースと、
前記アッパケースと結合するロワケースと、
を有することである。
【００１２】
また請求項４に係る発明の構成上の特徴は、請求項１〜３の何れか１項において、前記温度センサが、前記非ハウジング共用部が前記ハウジング内に取り付けられる前に、前記アッパケース及び前記ロワケースによって保持されることである。
【発明の効果】
【００１３】
本願発明は、温風を発生するヒーター及びファンを覆うダクトの一部がハウジングで構成されている。そして、ダクトのうち、ハウジングで構成されていない非ハウジング共用部の温度測定部で温風の温度が測定される。温度測定部は、温風の発生源近傍である。そのため、非ハウジング共用部だけで温風の温度を測定して、性能保証ができる。よって、本願発明によれば、ダクトの一部がハウジングで構成されるハウジング共用部であるため、ハウジングに取り付けられる前の状態の便器用温風装置はコンパクトであり、軽量である。しかも、その状態で温風の性能保証ができる。また、ハウジングに取り付けられた状態でもハウジングとの共用部の大きさ（厚み）だけ温風を吹き出す吹出口（ダクトの開口）の開口面積を大きくすることが可能になり全体として小型化が実現できる。
【００１４】
そして、温度測定部に温度を測定できる温度センサを有する構成では、ハウジングに取り付けられる前後で同じ温度センサを使用でき、ハウジングに取り付けられる前後で同じ温度センサを使わない場合よりも性能保証がより確実である。また、性能保証された位置に温度センサがある状態で、ハウジングに取り付ける（組み付ける）ため、取り付けが簡単である。
【図面の簡単な説明】
【００１５】
【図１】実施形態の便器用温風装置の横断面図である。
【図２】実施形態の便器用温風装置の斜視図である。
【図３】従来技術の便器用温風装置の横断面図である。
【発明を実施するための形態】
【００１６】
本発明の代表的な実施形態を図１及び図２を参照して説明する。本実施形態に係る便器用温風装置は、便器（図示略）に設置されるハウジング内に取り付けられる。
【００１７】
（実施形態）
本実施形態の便器用温風装置は、図１及び２に示されるように、ハウジング１２に取り付けられるダクト３の内部に、ヒーター２１とファン２２と温度センサ２３とが設置されている。ダクト３は、両端部が開口しており、ファン２２が駆動することで風が一方向に流れるように通路３５を形成する。ヒーター２１とファン２２とは、互いに隣接しており、ダクト３の両端部よりも中央よりで、風の流れる方向に直列に並んで配置されている。ダクト３は、ダクト３の一部がハウジング１２で構成されるハウジング共用部３２と、アッパケース４とロアケース５とで構成される非ハウジング共用部と、を有する。ダクト３下流の噴出口３３から内部に所定長さの下側部分がハウジング共用部３２である。温度センサ２３は、ヒーター２１及びファン２２の下流側の近傍、且つハウジング共用部３２の上流すぐの非ハウジング共用部に位置する温度測定部３１に設置される。なお、図１では、温度測定部３１の場所を明確にするために網掛けで図示されているが、特定の素材や部品を用いることが必須であることを示すための図示ではない。
【００１８】
アッパケース４はダクト３の両側面及び上方を構成する。ヒーター２１、ファン２２及び温度センサ２３は、アッパケース４に取り付けられる。そして、ダクト３の下側の一部を構成するロアケース５がアッパケース４に結合し、非ハウジング共用部になる。非ハウジング共用部は、ダクト３の下流側の下部がない状態である。この下流側の下部を、ハウジング１２のハウジング共用部３２に合わせて、非ハウジング共用部をハウジング１２に固定する。
【００１９】
ハウジング共用部３２は、非ハウジング共用部のアッパケース４とともに、ダクト３の下流端の噴出口３３を形成する。噴出口３３には、上部をアッパケース４側に回動可能に軸支され、風の噴出及び停止によって開閉自在な蓋３４が取り付けられている。なお、蓋３４は通電によっても開閉を行う構成のものを用いることもできる。
【００２０】
便器用温風装置とともに洗浄装置他が取り付けられた便座洗浄装置は、工場からの出荷時には、各部品の各種機能が正常に動作するか検査され、性能保証がされている。便器用温風装置は、温風の温度を測定して性能保証する。そこで、本実施形態の便器用温風装置は、ハウジング１２のハウジング共用部３２に固定される前の非ハウジング共用部の状態で、温風の温度が検査できる。非ハウジング共用部の隣接するヒーター２１とファン２２の下流側の近傍に温度センサ２３が取り付けられている。非ハウジング共用部は、内部に通路３５が形成されており、ヒーター２１、ファン２２、そして温度センサ２３とが配置されている。ダクト３は、ロアケース５の位置する下側がハウジング１２の一部で構成される。温度センサ２３が配置される温度測定部３１は、ロアケース５の下流端５１よりも上流側で、下流端とヒーター２１との間のアッパケース４及びロアケース５で囲まれた空間である。よって、アッパケース４とロアケース５とが結合した非ハウジング共用部の状態で、ヒーター２１及びファン２２が駆動すると、温風は一定方向に流れることができる。この温風の流れの先、つまり下流側に位置する温度測定部３１で温度を測定することができる。
【００２１】
本実施形態の便器用温風装置は、ダクト３の一部がハウジング１２で構成されるため、取り付ける場所は省スペースでよく、軽量でもある。図３に示す従来技術は、アッパケース９１及びロアケース９２でダクト９が構成されており、ハウジング１２と共用している部分はない。ダクト９内に、隣接してヒーター９２とファン（図示略）が温風の流れる方向に直列に並んで配置されている。ヒーター９２及びファンよりも温風の下流側に温度センサ９４が配置されている。温度センサ９４は、ヒーター９２及びファンが駆動して流れる温風の温度を測定する。便器用温風装置は、コンパクト及び軽量であることが望ましいため、温風を通過する通路９５を狭くしたり、ダクト９の壁の厚さを薄くしたり、などが考えられる。しかし、充分な温風が噴出できなくなる可能性がある。また、特許文献１及び特許文献２に開示されている便器用温風装置は、省スペース化となっているが、ハウジング１２に取り付けられた状態でなければ装置の性能保証のための温度測定ができない。
【００２２】
本実施形態の便器用温風装置によれば、便器用温風装置としての性能保証をハウジング１２に固定する前にすることができ、且つ、ダクト３の一部（下流側の下側）をハウジング１２と共用しているため、コンパクトであり軽量化されている。
【００２３】
（その他の実施形態）
以上、本発明の好適な実施形態について説明したが、本発明は上記実施形態に限定されるものではない。例えば、温度センサ２３は非ハウジング共用部をハウジング１２に取り付ける際に取り付ける構成でもよい。ハウジング１２に取り付ける前、温度を測定する際に検査のための温度センサを温度測定部に配置し、検査が終了すれば外すことで、性能保証はできる。
【符号の説明】
【００２４】
１２：ハウジング、
２１：ヒーター、２２：ファン、２３：温度センサ、
３：ダクト、３１：温度測定部、３２：ハウジング共用部、３３：噴出口、３４：蓋、
３５：通路、
４：アッパケース、
５：ロアケース、５１：下流端、
９：ダクト、９１：アッパケース、９２：ロアケース、９３：温度センサ、９４通路。
【図１】
2014009486.tif 000003
【図２】
2014009486.tif 000004
【図３】
2014009486.tif 000005